(57)【要約】【課題】本発明は、構造が簡単で且つ吊り紐の取り付け方法が簡易な、雪吊り支柱の先端に配置される吊り紐の吊り紐固定方法及び装置を提供する。【解決手段】本発明の雪吊り具の吊り紐固定装置は、雪吊り支柱の先端に嵌合される胴部１及び該胴部１に連続して一体に形成されたネジ首部２を備えた筒本体３と、前記筒本体３のネジ首部２にネジ締めされる蓋体４とからなる。前記筒本体３は、雪吊り支柱を嵌合する内径を備えた胴部１に複数個のビス孔又はネジ孔５を貫通形成し、ビス孔にビスを挿入し又はネジ孔にネジを螺入して雪吊り支柱に胴部１を固定できるようにする。【選択図】図１
2015104369.tif 000002
【特許請求の範囲】
【請求項１】
雪吊り支柱の先端に嵌合される胴部及び該胴部に連続して一体に形成されたネジ首部を備えた筒本体と、前記筒本体のネジ首部にネジ締めされる蓋体とからなり、前記筒本体はネジ首部に支持紐を嵌合挿入する縦溝を対向するように形成してなることを特徴とする雪吊り具の吊り紐固定装置。
【請求項２】
蓋体と筒本体とが分離した状態で、支持紐を筒本体の対向する縦溝に架け渡して嵌合挿入し、蓋体をネジ首部に螺合して筒本体と一体とし、縦溝と蓋体とで支持紐を脱落しないように挟持し、次に、雪吊り支柱の先端に筒本体を嵌合挿入して胴部に形成したビス孔からビスを又はネジ孔からネジを螺合して筒本体を固定し、このような状態で、蓋体を緩めて支持紐の長さ調節を行い、蓋体を再び締め付けて蓋体の頂部内壁と雪吊り支柱の端部で支持紐を挟持するととともに、同時に縦溝と蓋体とで支持紐を挟持して強固に支持紐を固定することを特徴とする雪吊り具の吊り紐固定方法。
【発明の詳細な説明】
【技術分野】
【０００１】
本発明は、降り積もった雪の重みで植木の枝が折れるのを防止する雪吊り具に関し、特に雪吊り支柱の先端に配置される吊り紐の吊り紐固定方法及び装置に関する。
【背景技術】
【０００２】
雪国では庭木等の樹木の枝が雪の重みで折れないように枝を吊り紐で支える雪吊り作業を行っている。この雪吊り作業は専門の庭師が行っているが、一般の人でも簡単に作業ができるように雪吊り具が工夫されている。
これまでに雪吊り作業に用いる吊り紐の係止が簡易で、雪吊り作業が能率的かつ省力的となる雪吊り具とその吊り紐固定具が知られている（特許文献１を参照）。
【０００３】
この公知技術は、先細り円筒状の嵌着体と、該嵌着体の頂部に接合される輪状の座盤と、該座盤の周縁に所定高さで周設される円環体と、該円環体の上端から適宜な分割数で凹設され階段状に先細りの係止溝と、前記座盤の中央に開口する口部から嵌着体の頂部に向けて螺設したネジ孔と、前記座盤の中央に配設された吊り紐固定具からなり、吊り紐を係止溝に押し込んで、つぎに吊り紐固定具のネジ軸を前記ネジ孔にネジ込んで、前記吊り紐固定具の押さえ盤で吊り紐の先端部を押さえることによって嵌着体の座盤に吊り紐を固定する。
【０００４】
前記公知技術は、吊り紐固定具の押さえ盤で吊り紐の先端部を押さえるので、吊り紐の取り付け固定が極めて簡易になる。
しかし、前記公知技術は、吊り紐固定具の自体の構造が複雑であり、かつ取り付け固定方法が面倒であったため、実用には供されないものであった。そのため、構造が簡単で且つ取り付け方法が簡易で実用的な雪吊り具の吊り紐固定方法及び装置が望まれていた。
【先行技術文献】
【特許文献】
【０００５】
【特許文献１】特開２００７−２８２５２５号公報（００１３、００１４、図６、図７を参照）
【発明の概要】
【発明が解決しようとする課題】
【０００６】
本発明は、構造が簡単で且つ吊り紐の取り付け方法が簡易な、雪吊り支柱の先端に配置される吊り紐の吊り紐固定方法及び装置を提供することを目的とする。
【課題を解決するための手段】
【０００７】
本発明の雪吊り具の吊り紐固定装置は、雪吊り支柱の先端に嵌合される胴部及び該胴部に連続して一体に形成されたネジ首部を備えた筒本体と、前記筒本体のネジ首部にネジ締めされる蓋体とからなり、前記筒本体はネジ首部に支持紐を嵌合挿入する縦溝を対向するように形成してなる。
本発明の雪吊り具の吊り紐固定方法は、蓋体と筒本体とが分離した状態で、支持紐を筒本体の対向する縦溝に架け渡して嵌合挿入し、蓋体をネジ首部に螺合して筒本体と一体とし、縦溝と蓋体とで支持紐を脱落しないように挟持し、次に、雪吊り支柱の先端に筒本体を嵌合挿入して胴部に形成したビス孔からビスを又はネジ孔からネジを螺合して筒本体を固定し、このような状態で、蓋体を緩めて支持紐の長さ調節を行い、蓋体を再び締め付けて蓋体の頂部内壁と雪吊り支柱の端部で支持紐を挟持するととともに、同時に縦溝と蓋体とで支持紐を挟持して強固に支持紐を固定する。
【発明の効果】
【０００８】
本発明の雪吊り具の吊り紐固定装置は、雪吊り支柱の先端に嵌合される胴部及び該胴部に連続して一体に形成されたネジ首部を備えた筒本体と、前記筒本体のネジ首部にネジ締めされる蓋体とからなり、前記筒本体はネジ首部に支持紐を嵌合挿入する縦溝を対向するように形成してなるため、構造が簡単で製作が容易にできる効果がある。
本発明の雪吊り具の吊り紐固定方法は、蓋体と筒本体のネジ締め付けで支持紐を挟持固定するので、非力な人でも簡単に取り付けを行うことができる効果がある。
【図面の簡単な説明】
【０００９】
【図１】本発明の雪吊り具の吊り紐固定装置の一部破断した正面図である。
【図２】支持紐の配置を示す説明図である。
【図３】筒本体の他の実施例の斜視図である。
【図４】本発明の雪吊り具の吊り紐固定装置の要部縦断面図である。
【図５】本発明の雪吊り具の吊り紐固定装置の使用状態の説明図である。
【発明を実施するための形態】
【００１０】
本発明の雪吊り具の吊り紐固定方法及び装置の一実施例を添付図面に基づいて、以下に説明する。
図１の一部破断した正面図に示すように、本発明の雪吊り具の吊り紐固定装置は、雪吊り支柱の先端に嵌合される胴部１及び該胴部１に連続して一体に形成されたネジ首部２を備えた筒本体３と、前記筒本体３のネジ首部２にネジ締めされる蓋体４とからなる。
【００１１】
前記筒本体３は、雪吊り支柱を嵌合する内径を備えた胴部１に複数個のビス孔又はネジ孔５を貫通形成し、ビス孔にビスを挿入し又はネジ孔にネジを螺入して雪吊り支柱に胴部１を固定できるようにする。
また、前記胴部１に連続して一体に形成されたネジ首部２に後述する支持紐を嵌合挿入する縦溝６を対向するように形成する。本実施例では４個形成したが、これに限らず複数個で増減することができる。
さらに、前記蓋体４と前記筒本体３とを連結する連結チェーン７を固定する取付片８を胴部１とネジ首部２との間に設け、取付片８と連結チェーン７を連結片９を介して連結する。
【００１２】
前記蓋体４は、前記筒本体３のネジ首部２にネジ締め出来るように内壁側にネジ山１０を形成し、外壁側に作業者の指が係着される窪み１１を連続的に形成する。
また、前記蓋体４の頂部１２には、前記筒本体３と前記蓋体４とを連結する連結チェーン７を固定する取付片８を設け、取付片８と連結チェーン７を連結片９を介して連結する。
【００１３】
図２の説明図に示す支持紐１３は、前記胴部１のネジ首部２に形成した縦溝６に嵌合挿入される。前記支持紐１３は、対向する縦溝６に架け渡して嵌合挿入し、支持紐１３の両端は胴部１より下方に垂れ下がる長さに形成され、端部に雪吊り紐を結ぶための環１４を形成する。
なお、支持紐１３は、支持紐を設けないで雪吊り紐を直接架け渡して代用することもできる。
【００１４】
図３の斜視図に示すように、筒本体３の内部を雪吊り支柱の角材Ａが嵌合挿入出来るように矩形内筒体とすることもできる。なお、他の構成には変更がない。
【００１５】
次に、本発明の雪吊り具の吊り紐固定方法及び装置の操作動作を添付図面に基づいて、以下に説明する。
図１の蓋体４と筒本体３とを分離した状態で、図２の支持紐１３を筒本体３の対向する縦溝６に架け渡して嵌合挿入し、蓋体４をネジ首部２に螺合して筒本体３と一体とし、縦溝６と蓋体４とで支持紐１３を脱落しないように挟持する。
次に、図４の要部縦断面図に示すように、単管パイプや丸材又は角材の雪吊り支柱Ｂの先端に筒本体３を嵌合挿入して胴部１に形成したビス孔又はネジ孔５からビス又はネジ１４を螺合して筒本体３を固定する。
このような状態で、蓋体４を緩めて支持紐１３の長さ調節を行い、蓋体４を再び締め付けて蓋体４の頂部内壁と雪吊り支柱Ｂの端部で支持紐１３を挟持するととともに、同時に縦溝６と蓋体４とで支持紐１３を挟持して強固に支持紐１３を固定する。
そして、図５の説明図に示すように、植木Ｃに沿って雪吊り支柱Ｂを立設し、支持紐１３の環１４に雪吊り紐１５を結び、雪吊り紐１５で枝を支持する。
なお、先に雪吊り支柱Ｂを立設し、脚立等を使用して雪吊り支柱Ｂの先端に筒本体３を嵌合挿入して前述と同様に、蓋体４の頂部内壁と雪吊り支柱Ｂの端部で支持紐１３を挟持するととともに、同時に縦溝６と蓋体４とで支持紐１３を挟持して強固に支持紐１３を固定することができる。
【符号の説明】
【００１６】
１  胴部
２  ネジ首部
３  筒本体
４  蓋体
５  ビス孔又はネジ孔
６  縦溝
７  連結チェーン
８  取付片
９  連結片
１０  ネジ山
１１  窪み
１２  頂部
１３  支持紐
１４  ビス又はネジ
１５  雪吊り紐
【図１】
2015104369.tif 000003
【図２】
2015104369.tif 000004
【図３】
2015104369.tif 000005
【図４】
2015104369.tif 000006
【図５】
2015104369.tif 000007